(57)【特許請求の範囲】
【請求項１】
水を貯えるタンクと、
水を加熱するヒートポンプと、
タンクからヒートポンプへ水を送るタンク水往路と、
ヒートポンプからタンクへ水を送るタンク水復路と、
タンク水往路に設けられている循環ポンプと、
タンク水往路において循環ポンプより下流に設けられている第１水抜き栓と、
制御装置を備えており、
制御装置は、タンクへの水はりが行われた状態で、循環ポンプを駆動して、タンク水往路、ヒートポンプおよびタンク水復路へ水はりを行うヒートポンプ水はり運転を実行可能であり、
制御装置は、ヒートポンプ水はり運転において、循環ポンプが空回りしていると判断した場合に、循環ポンプを停止し、その後に第１水抜き栓が開かれて、第１水抜き栓が閉じられると、循環ポンプの駆動を再開する、水加熱装置。
【請求項２】
タンク水復路に設けられている第２水抜き栓をさらに備えており、
制御装置は、ヒートポンプ水はり運転の後に、循環ポンプを駆動して、ヒートポンプで水を加熱する沸上げ試運転を実行可能であり、
制御装置は、沸上げ試運転において、ヒートポンプが空焚きしていると判断した場合に、ヒートポンプでの水の加熱を停止し、その後に第２水抜き栓が開かれて、第２水抜き栓が閉じられると、ヒートポンプでの水の加熱を再開する、請求項１の水加熱装置。
【請求項３】
制御装置は、沸上げ試運転において、ヒートポンプで水と熱交換する冷媒の凝縮温度が所定温度を超える状態が所定時間継続した場合に、ヒートポンプが空焚きしていると判断する、請求項２の水加熱装置。
【請求項４】
制御装置は、ヒートポンプ水はり運転において、循環ポンプの回転数が所定回転数を上回る状態が所定時間継続した場合に、循環ポンプが空回りしていると判断する、請求項１から３の何れか一項の水加熱装置。
【発明の詳細な説明】
【技術分野】
【０００１】
本明細書は、水加熱装置に関する。
【背景技術】
【０００２】
特許文献１に、水を貯えるタンクと、水を加熱するヒートポンプと、タンクからヒートポンプへ水を送るタンク水往路と、ヒートポンプからタンクへ水を送るタンク水復路と、タンク水往路に設けられている循環ポンプと、制御装置を備えている水加熱装置が開示されている。制御装置は、タンクへの水はりが行われた状態で、循環ポンプを駆動して、タンク水往路、ヒートポンプおよびタンク水復路へ水はりを行うヒートポンプ水はり運転を実行可能である。
【先行技術文献】
【特許文献】
【０００３】
【特許文献１】特開２００６−２５０５０５号公報
【発明の概要】
【発明が解決しようとする課題】
【０００４】
すでに使用している水加熱装置をしばらく使用しなくなる場合には、水加熱装置からの水抜きを行うことで、水加熱装置を構成する配管や機器の凍結を防止することができる。しかしながら、水加熱装置からの水抜きを行った場合でも、ヒートポンプの水の流路にわずかに水が残って、ヒートポンプの水の流路が凍結して部分的に閉塞してしまう場合がある。このような場合には、再び水加熱装置を使用する際に、水加熱装置への水はりを行おうとしても、タンク水往路の内部の空気が抜けて行かないため、循環ポンプに呼び水が供給されなくなってしまう。その結果、循環ポンプが空回りしてしまい、ヒートポンプ水はり運転を正常に実行することができなくなってしまう。
【０００５】
本明細書は、上記の課題を解決する技術を提供する。本明細書では、ヒートポンプ水はり運転を実行可能な水加熱装置において、ヒートポンプの水の流路が凍結した場合でも、ヒートポンプ水はり運転を正常に実行することが可能な技術を提供する。
【課題を解決するための手段】
【０００６】
本明細書が開示する水加熱装置は、水を貯えるタンクと、水を加熱するヒートポンプと、タンクからヒートポンプへ水を送るタンク水往路と、ヒートポンプからタンクへ水を送るタンク水復路と、タンク水往路に設けられている循環ポンプと、タンク水往路において循環ポンプより下流に設けられている第１水抜き栓と、制御装置を備えている。制御装置は、タンクへの水はりが行われた状態で、循環ポンプを駆動して、タンク水往路、ヒートポンプおよびタンク水復路へ水はりを行うヒートポンプ水はり運転を実行可能である。制御装置は、ヒートポンプ水はり運転において、循環ポンプが空回りしていると判断した場合に、循環ポンプを停止し、その後に第１水抜き栓が開かれて、第１水抜き栓が閉じられると、循環ポンプの駆動を再開する。
【０００７】
ヒートポンプの水の流路が凍結して部分的に閉塞している場合であっても、循環ポンプに強制的に通水して、循環ポンプに呼び水を供給すれば、その後は循環ポンプを正常に動作させることができる。上記の水加熱装置では、ヒートポンプ水はり運転において、循環ポンプが空回りしていると判断した場合に、循環ポンプを停止する。そして、上記の水加熱装置は、循環ポンプより下流のタンク水往路に設けられている第１水抜き栓が開かれて、タンクから循環ポンプを経由して第１水抜き栓まで通水されて、第１水抜き栓が閉じられると、循環ポンプを再び駆動する。このような構成とすることによって、ヒートポンプの水の流路が凍結して部分的に閉塞した場合でも、循環ポンプに呼び水を供給して、ヒートポンプ水はり運転を正常に実行することができる。
【０００８】
なお、上記の水加熱装置においては、第１水抜き栓の開閉および第１水抜き栓への通水の確認は、作業者が行ってもよいし、制御装置が行ってもよい。第１水抜き栓の開閉と第１水抜き栓への通水の確認を作業者が行う場合には、上記の水加熱装置は以下のように構成してもよい。すなわち、制御装置は、ヒートポンプ水はり運転において、循環ポンプが空回りしていると判断した場合に、循環ポンプを停止し、リモコン等を介して作業者に第１水抜き栓を開いて通水を確認するように指示を報知する。そして、作業者が第１水抜き栓を開いて通水を確認した後、作業者が第１水抜き栓を閉じてリモコン等を介して復帰操作を入力すると、制御装置は、循環ポンプを再び駆動して、ヒートポンプ水はり運転を再開する。対照的に、第１水抜き栓の開閉と第１水抜き栓への通水の確認を制御装置が行う場合には、上記の水加熱装置は以下のように構成してもよい。すなわち、制御装置は、ヒートポンプ水はり運転において、循環ポンプが空回りしていると判断した場合に、循環ポンプを停止し、第１水抜き栓を開いて、第１水抜き栓に通水されることを監視する。そして、第１水抜き栓への通水が確認されると、制御装置は、第１水抜き栓を閉じて、循環ポンプを再び駆動して、ヒートポンプ水はり運転を再開する。
【０００９】
上記の水加熱装置は、タンク水復路に設けられている第２水抜き栓をさらに備えており、制御装置が、ヒートポンプ水はり運転の後に、循環ポンプを駆動して、ヒートポンプで水を加熱する沸上げ試運転を実行可能であり、制御装置が、沸上げ試運転において、ヒートポンプが空焚きしていると判断した場合に、ヒートポンプでの水の加熱を停止し、その後に第２水抜き栓が開かれて、第２水抜き栓が閉じられると、ヒートポンプでの水の加熱を再開するように構成することができる。
【００１０】
ヒートポンプの水の流路が凍結している場合、沸上げ試運転において、ヒートポンプに水が流れ込まずに、ヒートポンプが空焚きをしてしまうおそれがある。このような場合には、ヒートポンプの水の流路に強制的に通水して、ヒートポンプでの水の加熱を行うことで、ヒートポンプの水の流路を解氷することができる。上記の水加熱装置では、沸上げ試運転において、ヒートポンプが空焚きしていると判断した場合に、ヒートポンプでの水の加熱を停止する。そして、上記の水加熱装置は、タンク水復路に設けられている第２水抜き栓が開かれて、タンクからヒートポンプを経由して第２水抜き栓まで通水されて、第２水抜き栓が閉じられると、ヒートポンプでの水の加熱を再開する。このような構成とすることによって、ヒートポンプの水の流路が凍結して部分的に閉塞した場合でも、ヒートポンプの水の流路を解氷して、沸上げ試運転を正常に実行することができる。
【００１１】
なお、上記の水加熱装置においては、第２水抜き栓の開閉および第２水抜き栓への通水の確認は、作業者が行ってもよいし、制御装置が行ってもよい。第２水抜き栓の開閉と第２水抜き栓への通水の確認を作業者が行う場合には、上記の水加熱装置は以下のように構成してもよい。すなわち、制御装置は、沸上げ試運転において、ヒートポンプが空焚きしていると判断した場合に、ヒートポンプでの水の加熱を停止し、リモコン等を介して作業者に第２水抜き栓を開いて通水を確認するように指示を報知する。そして、作業者が第２水抜き栓を開いて通水を確認した後、作業者が第２水抜き栓を閉じてリモコン等を介して復帰操作を入力すると、制御装置は、ヒートポンプでの水の加熱を再開して、沸上げ試運転を再開する。対照的に、第２水抜き栓の開閉と第２水抜き栓への通水の確認を制御装置が行う場合には、上記の水加熱装置は以下のように構成してもよい。すなわち、制御装置は、沸上げ試運転において、ヒートポンプが空焚きしていると判断した場合に、ヒートポンプでの水の加熱を停止し、第２水抜き栓を開いて、第２水抜き栓に通水されることを監視する。そして、第２水抜き栓への通水が確認されると、制御装置は、第２水抜き栓を閉じて、ヒートポンプでの水の加熱を再開して、沸上げ試運転を再開する。
【００１２】
上記の水加熱装置は、制御装置が、沸上げ試運転において、ヒートポンプで水と熱交換する冷媒の凝縮温度が所定温度を超える状態が所定時間継続した場合に、ヒートポンプが空焚きしていると判断するように構成することができる。
【００１３】
従来から使用されている一般的なヒートポンプには、冷媒の凝縮温度を検出する凝縮温度検出手段が設けられている。上記の水加熱装置によれば、ヒートポンプの空焚きを検出するための新たなセンサ等を設けることなく、ヒートポンプが空焚きしているか否かを判断することができる。
【００１４】
上記の水加熱装置は、制御装置が、ヒートポンプ水はり運転において、循環ポンプの回転数が所定回転数を上回る状態が所定時間継続した場合に、循環ポンプが空回りしていると判断するように構成することができる。
【００１５】
従来から使用されている一般的な循環ポンプには、回転数を検出する回転数検出手段が設けられている。上記の水加熱装置によれば、循環ポンプの空回りを検出するための新たなセンサ等を設けることなく、循環ポンプが空回りしているか否かを判断することができる。
【図面の簡単な説明】
【００１６】
【図１】給湯システム１０の構成を模式的に示す図である。
【図２】給湯システム１０のヒートポンプユニット水はり運転を説明するフローチャートである。
【図３】給湯システム１０の沸上げ試運転を説明するフローチャートである。
【発明を実施するための形態】
【００１７】
（実施例）
図１は給湯システム１０の系統図であり、水及び冷媒の流れを矢印で示している。図１に示すように、給湯システム１０は、タンクユニット２０と、ヒートポンプユニット４０と、ガス熱源ユニット５０を備えている。給湯システム１０は、給湯栓８０と浴槽７２に給湯する。本明細書では、浴槽７２に給湯することを湯はりという。また、給湯システム１０は、浴槽７２に貯められた浴槽水を追い焚きする。
【００１８】
ヒートポンプユニット４０は、主に、ヒートポンプ４０ｂと、循環ポンプ４８ｂを備えている。ヒートポンプ４０ｂは、圧縮機４１と、四方弁４２と、第１熱交換器４３と、膨張弁４４と、第２熱交換器４５と、ファン４５ａと、外気温度センサ４５ｂと、除霜経路４７と、除霜弁４７ａを備えている。ヒートポンプ４０ｂでは、圧縮機４１の吐出側Ａと四方弁４２と第１熱交換器４３の冷媒流路４３ａと膨張弁４４と第２熱交換器４５と四方弁４２と圧縮機４１の戻り側Ｂが、冷媒配管４６によって順に接続されており、冷媒がこの順に循環する。第１熱交換器４３は、冷媒流路４３ａと循環水流路４３ｂと凝縮温度センサ４３ｃを備えている。凝縮温度センサ４３ｃは、冷媒流路４３ａを流れる冷媒の温度、すなわち第１熱交換器４３での冷媒の凝縮温度を検出する。第２熱交換器４５の近傍にはファン４５ａが設置されている。第２熱交換器４５は、ファン４５ａによって送られる外気と冷媒の間で熱交換を行う。なお、ファン４５ａの近傍には外気温度を検出する外気温度センサ４５ｂが設けられている。圧縮機４１の吐出側Ａと四方弁４２との間の冷媒配管４６と、膨張弁４４と第２熱交換器４５との間の冷媒配管４６の間に、除霜経路４７が接続されている。除霜経路４７には、除霜弁４７ａが設けられている。
【００１９】
第１熱交換器４３の循環水流路４３ｂの入口側には循環往路接続経路４８が接続されており、出口側には循環復路接続経路４９が接続されている。循環往路接続経路４８には、入口側サーミスタ４８ａが設けられており、循環復路接続経路４９には出口側サーミスタ４９ａが設けられている。入口側サーミスタ４８ａは、循環水流路４３ｂに流入する循環水の温度を検出し、出口側サーミスタ４９ａは、循環水流路４３ｂから流出する循環水の温度を検出する。また、循環往路接続経路４８には、循環ポンプ４８ｂが設けられている。循環ポンプ４８ｂには、循環ポンプ４８ｂの回転数を検出する回転数検出手段が内蔵されている。さらに、循環往路接続経路４８の循環ポンプ４８ｂより下流には、手動で開閉される第１水抜き栓８２ａが設けられている。第１水抜き栓８２ａが開かれると、循環往路接続経路４８の水が第１水抜き栓８２ａを通して外部に排水される。循環復路接続経路４９には、手動で開閉される第２水抜き栓８２ｂが設けられている。第２水抜き栓８２ｂが開かれると、循環復路接続経路４９の水が第２水抜き栓８２ｂを通じて外部に排水される。
【００２０】
ヒートポンプユニット４０は、コントローラ４０ａを備えている。コントローラ４０ａは、ＣＰＵ、ＲＯＭ、ＲＡＭ等を備えている。コントローラ４０ａには、入口側サーミスタ４８ａ、出口側サーミスタ４９ａ、外気温度センサ４５ｂおよび循環ポンプ４８ｂの回転数検出手段から、検出信号が入力される。また、コントローラ４０ａは、圧縮機４１、四方弁４２、膨張弁４４、ファン４５ａ、循環ポンプ４８ｂの動作を制御する。
【００２１】
タンクユニット２０は、貯湯槽２１と混合器２４とを備えている。貯湯槽２１の底部には、貯湯槽２１に水道水を給水する給水経路２２が接続されている。給水経路２２の水道水入口２２ａの近傍には、減圧弁２３が設けられている。給水経路２２には、減圧弁２３の下流側に混合器２４の混合用給水経路２６が接続されている。減圧弁２３は、貯湯槽２１と混合器２４への給水圧力を調整する。貯湯槽２１内の温水が減少すると、減圧弁２３の下流側圧力が低下する。減圧弁２３は、下流側圧力が低下すると開き、その圧力を所定の調圧値に維持しようとする。このため、貯湯槽２１内の温水が減少したり、混合器２４の給水制御弁２６ａが開いたりすると、これらに水道水が給水される。
【００２２】
給水経路２２において、混合用給水経路２６の接続部よりも下流側には、排水経路３１が接続されている。排水経路３１の途中には、排水弁３２が設けられている。排水弁３２は手動で開閉することができる。排水弁３２を開くと、貯湯槽２１内の水が排水経路３１を通じて外部に排水される。
【００２３】
貯湯槽２１の底部には、循環往路３３の一端が接続されており、貯湯槽２１の上部には、循環復路３４の一端が接続されている。循環往路３３の他端は、ヒートポンプユニット４０の循環往路接続経路４８に接続されており、循環復路３４の他端は、循環復路接続経路４９に接続されている。循環往路３３には、往路サーミスタ３６が設けられている。往路サーミスタ３６は、貯湯槽２１から循環往路３３に流出した水の温度を検出する。
【００２４】
ヒートポンプユニット４０の循環ポンプ４８ｂが駆動すると、貯湯槽２１の下部から循環往路３３に水が吸出され、この水が循環往路接続経路４８、循環水流路４３ｂ及び循環復路接続経路４９を流れて、循環復路３４を通じて貯湯槽２１の上部に戻される。このようにして、貯湯槽２１とヒートポンプユニット４０との間の循環経路が構成されている。
【００２５】
循環復路３４の途中には、空気抜き経路３７と圧力開放経路３８が接続されている。空気抜き経路３７には、手動で開閉される空気抜き弁３７ａが設けられている。圧力開放経路３８には、リリーフ弁３８ａが設けられている。減圧弁２３の調圧が不能になった場合には、リリーフ弁３８ａが開き、貯湯槽２１内の圧力が耐圧可能な圧力を超えるのを防止する。貯湯槽２１では、その上端から所定量（例えば３０リットル）の箇所に上部サーミスタ３９が取り付けられている。上部サーミスタ３９は、貯湯槽２１上部の水温を検出する。循環復路３４の途中には、循環復路３４内での逆流、即ち、循環復路３４内の水がタンクユニット２０側からヒートポンプユニット４０側に向かう流れを防止する逆止弁３４ａが配置されている。空気抜き経路３７と圧力開放経路３８とは、逆止弁３４ａよりもヒートポンプユニット４０側に配置されている。
【００２６】
混合器２４は、温水経路２５と混合用給水経路２６と第１混合経路２７を備えている。温水経路２５は、貯湯槽２１の上部に接続されている。温水経路２５には、温水制御弁２５ａと温水流量センサ２５ｂと温水サーミスタ２５ｃが設けられている。温水制御弁２５ａは、温水経路２５を流れる温水の流量を調整する。温水流量センサ２５ｂ及び温水サーミスタ２５ｃは、温水経路２５を流れる水の流量と温度をそれぞれ検出する。混合用給水経路２６は、上記したように給水経路２２に接続されている。混合用給水経路２６には、給水制御弁２６ａと給水流量センサ２６ｂと給水サーミスタ２６ｃとが設けられている。給水制御弁２６ａは、混合用給水経路２６を流れる水道水の流量を調整する。給水流量センサ２６ｂと給水サーミスタ２６ｃは、混合用給水経路２６を流れる水道水の流量と温度をそれぞれ検出する。
【００２７】
温水経路２５と混合用給水経路２６とは、それぞれの下流端において合流し、第１混合経路２７に接続されている。第１混合経路２７には、第１混合経路２７を流れる混合水の温度を検出する混合サーミスタ２７ａを備えている。
【００２８】
タンクユニット２０は、さらに第１給湯経路２９を備えている。第１給湯経路２９には、給湯サーミスタ２９ａが設けられている。第１給湯経路２９の先端には、給湯栓８０が接続されている。給湯栓８０は、浴室、洗面所、台所等に配置されている（図１では、これら複数の給湯栓８０を１つで代表して示している）。第１混合経路２７の途中と第１給湯経路２９の途中は、給湯バイパス経路２８によって接続されている。給湯バイパス経路２８には、バイパス制御弁２８ａが設けられている。バイパス制御弁２８ａを開いた状態では、第１混合経路２７を流れた混合水が給湯バイパス経路２８から第１給湯経路２９へ流れ、バイパス制御弁２８ａを閉じた状態では、第１混合経路２７を流れた混合水が、後記するガス熱源ユニット５０の第２混合経路５２へ流れる。
【００２９】
タンクユニット２０は、コントローラ２０ａを備えている。コントローラ２０ａは、ＣＰＵ、ＲＯＭ、ＲＡＭ等を備えている。コントローラ２０ａには、温水サーミスタ２５ｃ、給水サーミスタ２６ｃ、混合サーミスタ２７ａ、給湯サーミスタ２９ａ、往路サーミスタ３６、上部サーミスタ３９、温水流量センサ２５ｂ、給水流量センサ２６ｂから、検出信号が入力される。また、コントローラ２０ａは、温水制御弁２５ａ、給水制御弁２６ａ、バイパス制御弁２８ａ、空気抜き弁３７ａの動作を制御する。
【００３０】
ガス熱源ユニット５０は、給湯器５１を備えている。給湯器５１は、給湯用熱交換器５３と、給湯用バーナ５４と、追い焚き用熱交換器７６と、追い焚き用バーナ７８等を備えている。給湯用熱交換器５３の入口側は第２混合経路５２を介して第１混合経路２７に接続されている。給湯用熱交換器５３には、第２混合経路５２を通じて混合水が流入する。第２混合経路５２には、入水サーミスタ５２ａと、給湯水量センサ５２ｂと、水量サーボ５２ｃとが設けられている。入水サーミスタ５２ａと給湯水量センサ５２ｂは、それぞれ第２混合経路５２を流れる水の温度及び流量を検出する。水量サーボ５２ｃは、第２混合経路５２を流れる水の流量を調整する。給湯用バーナ５４はガス燃焼式であって、給湯用熱交換器５３を加熱する。給湯用熱交換器５３の出口側は第２給湯経路５５を介して第１給湯経路２９に接続されている。給湯用熱交換器５３を流れた温水は、第２給湯経路５５及び第１給湯経路２９を通じて給湯栓８０から給湯される。第２給湯経路５５には、給湯用熱交換器５３の出口近傍に、缶体サーミスタ５６が設けられており、その下流側に出湯サーミスタ５７が設けられている。出湯サーミスタ５７は、給湯用熱交換器５３の近傍に配置されている。
【００３１】
第２混合経路５２における水量サーボ５２ｃの下流側と、第２給湯経路５５の缶体サーミスタ５６と出湯サーミスタ５７の間には、熱源機バイパス経路５８が接続されている。第２混合経路５２と熱源機バイパス経路５８との接続部には、熱源機バイパス制御弁５９が設けられている。熱源機バイパス制御弁５９の開度を調整することによって、第２混合経路５２を流れる水の一部が熱源機バイパス経路５８に流れ、その流量が調整される。
【００３２】
第２給湯経路５５の出湯サーミスタ５７の下流側には、湯はり経路７０の一端が接続されている。湯はり経路７０の他端は、風呂循環経路７１に接続されている。湯はり経路７０には、湯はり弁７０ａと湯はり量センサ７０ｂと逆止弁７０ｃとが設けられている。風呂循環経路７１は、浴槽７２から湯はり経路７０との合流点まで伸びている第１流路７６ａと、湯はり経路７０との合流点から追い焚き用熱交換器７６を経て浴槽７２にまで伸びている第２流路７６ｂを備えている。風呂循環経路７１は、浴槽７２と追い焚き用熱交換器７６との間で浴槽水を循環させるものである。風呂循環経路７１には、水圧センサ７９と、風呂ポンプ７３と、水流スイッチ７４と、風呂往きサーミスタ７５と、追い焚き用熱交換器７６と、風呂戻りサーミスタ７７とが順に設けられている。
【００３３】
湯はり弁７０ａを開くと、第２給湯経路５５を流れる温水が、破線矢印に示すように、第１流路７６ａと第２流路７６ｂの両者から、浴槽７２に供給される。風呂ポンプ７３は、運転していないと、温水が逆流するのを許容する。逆止弁７０ｃは、湯はり経路７０内で逆流、即ち、湯はり経路７０内の水が第２給湯経路５５に向かって流れることを防止する。
【００３４】
風呂ポンプ７３を駆動すると、浴槽７２内の湯が実線矢印に示すように、風呂循環経路７１を流れ、追い焚き用熱交換器７６を流れる際に、ガス燃焼式の追い焚き用バーナ７８によって加熱される。風呂往きサーミスタ７５は、浴槽７２から風呂循環経路７１に流入した浴槽水の温度を検出するものであり、風呂戻りサーミスタ７７は、追い焚き用熱交換器７６で加熱された後の浴槽水の温度を検出するものである。
【００３５】
ガス熱源ユニット５０は、コントローラ５０ａを備えている。コントローラ５０ａは、ＣＰＵ、ＲＯＭ、ＲＡＭ等を備えている。コントローラ５０ａには、入水サーミスタ５２ａ、缶体サーミスタ５６、出湯サーミスタ５７、風呂往きサーミスタ７５、風呂戻りサーミスタ７７、給湯水量センサ５２ｂ、湯はり量センサ７０ｂ、水流スイッチ７４、水圧センサ７９から、検出信号が入力される。また、コントローラ５０ａは、水量サーボ５２ｃ、熱源機バイパス制御弁５９、湯はり弁７０ａ、風呂ポンプ７３、給湯用バーナ５４、追い焚き用バーナ７８の動作を制御する。
【００３６】
ヒートポンプユニット４０のコントローラ４０ａは、タンクユニット２０のコントローラ２０ａと通信可能である。タンクユニット２０のコントローラ２０ａは、ガス熱源ユニット５０のコントローラ５０ａと通信可能である。ガス熱源ユニット５０のコントローラ５０ａは、リモコン５０ｂと通信可能である。リモコン５０ｂには、給湯システム１０を操作するためのスイッチやボタン、給湯システム１０の動作状態を報知する液晶表示器やスピーカ等が設けられている。利用者は、リモコン５０ｂを操作して、後述する各種の運転の開始および停止を指示することもできるし、給湯設定温度、湯はり設定温度、湯はり設定水位等を設定することもできる。また、リモコン５０ｂにはタイマが内蔵されており、現在時刻の情報を保持することができる。リモコン５０ｂに現在時刻が設定されると、沸き上げ運転を深夜の時間帯に行ったり、湯はり運転を所望の時刻に行ったりする、タイマ運転を行うことができる。
【００３７】
給湯システム１０では、以下に説明するように、沸き上げ運転、除霜運転、給湯運転、湯はり運転、追い焚き運転等を行うことができる。
【００３８】
（沸き上げ運転）
沸き上げ運転では、給湯システム１０は、貯湯槽２１に貯えられた水をヒートポンプ４０ｂにより加熱する。沸上げ運転を開始すると、給湯システム１０は、ヒートポンプ４０ｂを駆動するとともに、循環ポンプ４８ｂを駆動する。ヒートポンプ４０ｂでは、圧縮機４１で圧縮されて昇温した冷媒が、第１熱交換器４３の冷媒流路４３ａを流れる際に循環水流路４３ｂを流れる循環水を加熱する。冷媒流路４３ａから流出した冷媒は、膨張弁４４で膨張して冷却され、第２熱交換器４５を流れる際に外気から吸熱して昇温する。昇温した冷媒が圧縮機４１に流入して再び圧縮されてさらに昇温する。ヒートポンプ４０ｂでは、冷媒がこのように循環することによって、外気からの吸熱により水を加熱することができる。
【００３９】
循環ポンプ４８ｂの駆動により、タンクユニット２０では、貯湯槽２１内の水が貯湯槽２１の底部から循環往路３３に吸出される。循環往路３３に吸出された水は、ヒートポンプユニット４０の第１熱交換器４３の循環水流路４３ｂを通過する際に加熱されて温度上昇する。温度上昇した温水は、循環復路３４を流れて貯湯槽２１の上部に戻される。この循環が行われることによって、貯湯槽２１では、冷水層の上部に高温層が積層した温度成層が形成される。貯湯槽２１に高温の温水が戻され続けると、高温層の厚さ（深さ）は次第に大きくなり、完全に蓄熱された状態では、貯湯槽２１の全体に高温の温水が貯まった状態になる。貯湯槽２１に完全に蓄熱が行われていなくても、温度成層が形成されることにより、貯湯槽２１の上部に接続されている温水経路２５に、高温の温水を送り出すことが可能となる。貯湯槽２１が完全に蓄熱された状態となると、沸上げ運転は終了する。
【００４０】
（除霜運転）
除霜運転では、給湯システム１０は、ヒートポンプ４０ｂの第２熱交換器４５を除霜する。除霜運転では、ヒートポンプ４０ｂを駆動した状態で、破線矢印に示すように、一時的に除霜弁４７ａが開いて圧縮機４１から吐出した高温の冷媒が除霜経路４７を通じて第２熱交換器４５に流れるようにする。第２熱交換器４５に高温の冷媒が流れることで、第２熱交換器４５が除霜される。
【００４１】
（給湯運転）
温水流量センサ２５ｂの検出流量及び給水流量センサ２６ｂの検出流量の合計が所定値を超えると、給湯栓８０または浴槽７２への給湯が開始されたと判断して、給湯システム１０は蓄熱給湯運転または加熱給湯運転を行う。貯湯槽２１の上部サーミスタ３９の検出水温が、リモコン５０ｂで設定されている給湯設定温度よりも一定温度だけ高い基準温度以上である場合には、蓄熱給湯運転が行われる。蓄熱給湯運転では、バイパス制御弁２８ａを開状態とし、水量サーボ５２ｃを全閉状態とする。また、混合サーミスタ２７ａで検出される水温が給湯設定温度となるように、温水制御弁２５ａと給水制御弁２６ａの開度を調整する。給湯設定温度に調整された混合水は、第１混合経路２７を流れた後に、給湯バイパス経路２８及び第１給湯経路２９を通じて給湯栓８０から給湯される。
【００４２】
一方、上部サーミスタ３９の検出水温が基準温度未満である場合には、加熱給湯運転が行われる。加熱給湯運転では、バイパス制御弁２８ａを全閉状態とし、水量サーボ５２ｃを所定開度に設定する。また、混合サーミスタ２７ａで検出される水温が給湯設定温度よりも給湯用熱交換器５３による温度上昇幅だけ低い温度となるように、温水制御弁２５ａと給水制御弁２６ａの開度を調整する。給湯設定温度よりも低い温度に調整された混合水は、第１混合経路２７を流れ、ガス熱源ユニット５０の第２混合経路５２を流れて給湯用熱交換器５３に流入し、給湯用バーナ５４により加熱される。給湯用熱交換器５３では、給湯用熱交換器５３の出口に設けられている缶体サーミスタ５６で検出される水温が６０℃以上となるように制御される。これにより、配管に結露水が発生することを抑制することができる。給湯設定温度が６０℃よりも低い場合には、出湯サーミスタ５７で検出される水温が給湯設定温度となるように、熱源機バイパス制御弁５９の開度が制御される。第２混合経路５２を流れる混合水の一部が熱源機バイパス経路５８を通じて第２給湯経路５５に流入し、給湯用熱交換器５３を流れた６０℃以上の水と給湯用熱交換器５３を流れていない低温の水とが混合されて給湯設定温度の温水となる。このようにして、給湯設定温度に調温された温水が、第２給湯経路５５と第１給湯経路２９を通じて給湯栓８０から給湯される。温水流量センサ２５ｂの検出流量及び給水流量センサ２６ｂの検出流量の合計が所定値を下回ると、給湯運転は終了する。
【００４３】
（湯はり運転）
浴槽７２に湯はり運転する場合は、給湯システム１０は、給湯設定温度を湯はり設定温度に読み代えて、上記の加熱給湯運転を実施する。リモコン５０ｂを介して湯はり運転の開始が指示されると、ガス熱源ユニット５０は、湯はり弁７０ａを開いて浴槽７２に給湯する。第２給湯経路５５から湯はり経路７０を流れた湯は、破線矢印に示すように、第１流路７６ａと第２流路７６ｂを通じて浴槽７２に給湯される。リモコン５０ｂで設定されている湯はり設定温度に応じた湯が浴槽７２に給湯される。リモコン５０ｂで設定されている湯はり設定水位まで浴槽７２への湯はりが行われると、湯はり運転は終了する。
【００４４】
（追い焚き運転）
リモコン５０ｂを介して追い焚き運転の開始が指示されると、給湯システム１０は、追い焚き運転を実施する。追い焚き運転では、ガス熱源ユニット５０が、風呂ポンプ７３を駆動し、追い焚き用バーナ７８を点火する。この追い焚き運転によって、浴槽７２の浴槽水が循環加熱される。浴槽７２の浴槽水の温度が湯はり設定温度まで復帰すると、追い焚き運転は終了する。
【００４５】
（試運転）
給湯システム１０を家屋へ設置する際には、ヒートポンプユニット４０、タンクユニット２０及びガス熱源ユニット５０を家屋のレイアウトに応じた適切な設置場所へ据え付けた後、ユニット間の配管を接続し、各ユニットへの電力供給線の接続と、ガス熱源ユニット５０へのガス供給線の接続を行う。そして、以下に説明するような、タンクユニット水はり運転、ヒートポンプユニット水はり運転、沸上げ試運転、給湯試運転、風呂試運転等の試運転を行って、異常がないことが確認されると、利用者は給湯システム１０を通常通りに使用することができる。また、すでに使用している給湯システム１０をしばらく使用しなくなる場合に、給湯システム１０を構成する配管や機器の凍結を防止するために、給湯システム１０から水抜きを行う場合がある。このような場合にも、再び給湯システム１０を使用する際には、以下に説明するそれぞれの試運転を行って、異常がないことが確認されると、利用者は給湯システム１０を通常通りに使用することができる。以下では、給湯システム１０で実施する試運転について説明する。なお、試運転は、リモコン５０ｂの試運転開始スイッチが操作されると開始される。
【００４６】
（タンクユニット水はり運転）
試運転では、まず、タンクユニット水はり運転が実行される。タンクユニット水はり運転では、水道から供給される水によって、給水経路２２、貯湯槽２１、混合用給水経路２６、温水経路２５、第１混合経路２７への水はりを行う。なお、タンクユニット水はり運転を開始する際には、作業者によって、タンクユニット２０の排水弁３２は閉じられており、空気抜き弁３７ａは開けられている。タンクユニット水はり運転を開始すると、タンクユニット２０のコントローラ２０ａは、温水制御弁２５ａ、給水制御弁２６ａを開き、バイパス制御弁２８ａを閉じる。また、ガス熱源ユニット５０のコントローラ５０ａは、水量サーボ５２ｃを全開状態にし、熱源機バイパス制御弁５９を全閉状態にするとともに、湯はり弁７０ａを開く。これにより、給水経路２２、貯湯槽２１、混合用給水経路２６、温水経路２５、第１混合経路２７への水はりがなされる。水はりの前に貯湯槽２１やそれぞれの配管の内部に存在している空気は、第１混合経路２７、第２混合経路５２、給湯用熱交換器５３、第２給湯経路５５、湯はり経路７０を経由して、浴槽７２から排出される。なお、タンクユニット水はり運転の実行によって、循環往路３３、循環往路接続経路４８、循環水流路４３ｂ、循環復路接続経路４９、循環復路３４にも、部分的に水が流入する。給水経路２２、貯湯槽２１、混合用給水経路２６、温水経路２５、第１混合経路２７への水はりがなされて、温水流量センサ２５ｂと給水流量センサ２６ｂのそれぞれで所定流量以上の流量が検出されると、給湯システム１０は、タンクユニット水はり運転を終了する。タンクユニット水はり運転を終了すると、給湯システム１０は、再びリモコン５０ｂの試運転開始スイッチが操作されるまで待機する。
【００４７】
（ヒートポンプユニット水はり運転）
タンクユニット水はり運転の終了後、作業者によって空気抜き弁３７ａが開かれ、リモコン５０ｂにおいて試運転開始スイッチが再び操作されると、給湯システム１０は、図２に示すヒートポンプユニット水はり運転を開始する。
【００４８】
ステップＳ２では、コントローラ４０ａは、循環ポンプ４８ｂを駆動する。
【００４９】
ステップＳ４では、コントローラ４０ａは、循環ポンプ４８ｂがロックしているか否かを判断する。コントローラ４０ａは、例えば、循環ポンプ４８ｂの回転数が所定回転数（例えば１００ｒｐｍ）に満たない状態が所定時間（例えば１０秒）にわたって継続した場合に、循環ポンプ４８ｂがロックしていると判断する。循環ポンプ４８ｂがロックしていないと判断される場合（ＮＯの場合）、処理はステップＳ６へ進む。
【００５０】
ステップＳ６では、コントローラ４０ａは、循環ポンプ４８ｂが空回りしているか否かを判断する。コントローラ４０ａは、例えば、循環ポンプ４８ｂの回転数が所定回転数（例えば５８００ｒｐｍ）を超える状態が所定時間（例えば２０秒）にわたって継続した場合に、循環ポンプ４８ｂが空回りしているものと判断する。循環ポンプ４８ｂが空回りしていないと判断される場合（ＮＯの場合）、処理はステップＳ８へ進む。
【００５１】
ステップＳ８では、コントローラ４０ａは、ヒートポンプユニット４０への水はりが完了したか否かを判断する。コントローラ４０ａは、例えば、ステップＳ２で循環ポンプ４８ｂの駆動を開始してから所定時間（例えば１０分）が経過した場合に、ヒートポンプユニット４０への水はりが完了したものと判断する。ヒートポンプユニット４０への水はりが完了したと判断されると（ステップＳ８でＹＥＳとなると）、ステップＳ１０で、コントローラ４０ａが循環ポンプ４８ｂを停止して、図２に示すヒートポンプユニット水はり運転の処理は終了する。ヒートポンプユニット水はり運転を終了すると、給湯システム１０は、リモコン５０ｂに空気抜き弁３７ａを閉じる旨の指示を表示するとともに、再び試運転開始スイッチが操作されるまで待機する。ヒートポンプユニット４０への水はりが完了していないと判断される場合（ステップＳ８でＮＯの場合）、処理はステップＳ４へ戻る。
【００５２】
ステップＳ４において、循環ポンプ４８ｂがロックしていると判断される場合（ＹＥＳの場合）、処理はステップＳ１２へ進む。ステップＳ１２では、コントローラ４０ａは、循環ポンプ４８ｂを停止する。ステップＳ１２の後、処理はステップＳ１４へ進む。
【００５３】
ステップＳ１４では、コントローラ４０ａは、外気温度センサ４５ｂで検出される外気温度が所定温度（例えば５℃）以下であるか否かを判断する。外気温度が所定温度を超えている場合（ＮＯの場合）、コントローラ４０ａは、循環ポンプ４８ｂのロックが凍結によるものではないと判断して、処理はステップＳ１６へ進む。ステップＳ１６では、コントローラ４０ａは、リモコン５０ｂを介して、循環ポンプ４８ｂのロックによるエラー停止を報知し、図２のヒートポンプユニット水はり運転の処理は終了する。
【００５４】
ステップＳ１４で、外気温度が所定温度以下である場合（ＹＥＳの場合）、コントローラ４０ａは、循環ポンプ４８ｂのロックが凍結によるものと判断する。この場合、循環ポンプ４８ｂに強制的に通水して、流水により循環ポンプ４８ｂを解氷する必要がある。従って、このような場合には、処理はステップＳ２０へ進む。
【００５５】
ステップＳ６において、循環ポンプ４８ｂが空回りしていると判断される場合（ＹＥＳの場合）、処理はステップＳ１８へ進む。循環ポンプ４８ｂに呼び水が無く、従って循環ポンプ４８ｂが空回りする状態では、第１熱交換器４３の循環水流路４３ｂが凍結により部分的に閉塞されており、循環往路３３および循環往路接続経路４８内に空気が残存しているものと考えられる。この場合、循環ポンプ４８ｂに強制的に呼び水を供給した上で、循環ポンプ４８ｂの駆動により第１熱交換器４３に通水して、ヒートポンプ４０ｂでの加熱により第１熱交換器４３を解氷する必要がある。従って、このような場合には、ステップＳ１８でコントローラ４０ａが循環ポンプ４８ｂを停止した後、処理はステップＳ２０へ進む。
【００５６】
ステップＳ２０では、コントローラ４０ａは、循環ポンプ４８ｂのロックまたは循環ポンプ４８ｂの空回りによる循環ポンプ４８ｂの停止回数が、所定回数（例えば３回）以上であるか否かを判断する。循環ポンプ４８ｂの停止回数が所定回数に満たない場合（ＮＯの場合）、処理はステップＳ２２へ進む。
【００５７】
ステップＳ２２では、コントローラ４０ａは、リモコン５０ｂを介して、第１水抜き栓８２ａを開く旨の指示を作業者に報知する。ステップＳ２２の後、処理はステップＳ２４へ進む。
【００５８】
ステップＳ２４では、コントローラ４０ａは、リモコン５０ｂに復帰操作が入力されるまで待機する。復帰操作は、例えばリモコン５０ｂの試運転開始スイッチの操作である。作業者が、第１水抜き栓８２ａを開き、第１水抜き栓８２ａへの通水を確認した後、第１水抜き栓８２ａを閉じて、リモコン５０ｂに復帰操作を入力すると、処理はステップＳ２へ戻る。これによって、循環ポンプ４８ｂが凍結によりロックしている場合には、循環ポンプ４８ｂへの通水によって循環ポンプ４８ｂが解氷される。また、循環ポンプ４８ｂに呼び水が無く空回りしている場合には、循環ポンプ４８ｂへ呼び水が供給される。
【００５９】
なお、ステップＳ２０において、循環ポンプ４８ｂの停止回数が所定回数以上の場合（ＹＥＳの場合）には、コントローラ４０ａは、第１水抜き栓８２ａを開いて循環ポンプ４８ｂに通水しても不具合が解消していないと判断して、処理はステップＳ２６へ進む。ステップＳ２６では、コントローラ４０ａは、リモコン５０ｂを介してエラー停止を報知し、図２のヒートポンプユニット水はり運転の処理は終了する。
【００６０】
（沸上げ試運転）
ヒートポンプユニット水はり運転の終了後、作業者によって空気抜き弁３７ａが閉じられ、リモコン５０ｂにおいて試運転開始スイッチが再び操作されると、給湯システム１０は、図３に示す沸上げ試運転を開始する。
【００６１】
ステップＳ３２では、コントローラ４０ａは、循環ポンプ４８ｂを駆動する。
【００６２】
ステップＳ３４では、コントローラ４０ａは、圧縮機４１を駆動させて、ヒートポンプ４０ｂによる循環水の加熱を開始する。
【００６３】
ステップＳ３６では、コントローラ４０ａは、ヒートポンプ４０ｂが空焚きしているか否かを判断する。コントローラ４０ａは、例えば、凝縮温度センサ４３ｃで検出される冷媒の凝縮温度が所定温度（例えば６２℃）を超える状態が所定時間（例えば６０秒）にわたって継続した場合に、第１熱交換器４３の循環水流路４３ｂに水が流れておらず、ヒートポンプ４０ｂが空焚きしていると判断する。ヒートポンプ４０ｂが空焚きしていないと判断される場合（ステップＳ３６でＮＯの場合）、処理はステップＳ３８へ進む。
【００６４】
ステップＳ３８では、コントローラ４０ａは、ステップＳ３４でヒートポンプ４０ｂによる循環水の加熱を開始してから所定時間（例えば１０分）が経過したか否かを判断する。ヒートポンプ４０ｂによる循環水の加熱を開始してから所定時間が経過していない場合（ＮＯの場合）、処理はステップＳ３６へ戻る。ヒートポンプ４０ｂによる加熱を開始してから所定時間が経過した場合（ステップＳ３８でＹＥＳの場合）、コントローラ４０ａはヒートポンプ４０ｂによる循環水の加熱が正常に行われたと判断して、図３の処理を終了する。
【００６５】
ステップＳ３６でヒートポンプ４０ｂが空焚きしていると判断される場合（ＹＥＳの場合）、処理はステップＳ４０へ進む。ステップＳ４０では、コントローラ４０ａは、圧縮機４１を停止して、ヒートポンプ４０ｂによる循環水の加熱を停止する。
【００６６】
ステップＳ４２では、コントローラ４０ａは、循環ポンプ４８ｂを停止する。
【００６７】
ステップＳ４４では、コントローラ４０ａは、外気温度センサ４５ｂで検出される外気温度が所定温度（例えば５℃）以下であるか否かを判断する。外気温度が所定温度を超えている場合（ＮＯの場合）、コントローラ４０ａは、ヒートポンプ４０ｂの空焚きが凍結によるものではないと判断して、処理はステップＳ４６へ進む。ステップＳ４６では、コントローラ４０ａは、リモコン５０ｂを介して、ヒートポンプ４０ｂの空焚きによるエラー停止を報知し、図３の沸上げ試運転の処理は終了する。
【００６８】
ステップＳ４４で、外気温度が所定温度以下である場合（ＹＥＳの場合）、コントローラ４０ａは、ヒートポンプ４０ｂの空焚きが凍結によるものと判断する。この場合、第１熱交換器４３の循環水流路４３ｂに強制的に通水して、ヒートポンプ４０ｂでの加熱によって第１熱交換器４３を解氷する必要がある。従って、このような場合には、処理はステップＳ４８へ進む。
【００６９】
ステップＳ４８では、コントローラ４０ａは、ヒートポンプ４０ｂの空焚きによるヒートポンプ４０ｂの停止回数が所定回数（例えば３回）以上となったか否かを判断する。ヒートポンプ４０ｂの停止回数が所定回数に満たない場合（ＮＯの場合）、処理はステップＳ５０へ進む。
【００７０】
ステップＳ５０では、コントローラ４０ａは、リモコン５０ｂを介して、第２水抜き栓８２ｂを開く旨の指示を作業者に報知する。ステップＳ５０の後、処理はステップＳ５２へ進む。
【００７１】
ステップＳ５２では、コントローラ４０ａは、リモコン５０ｂに復帰操作が入力されるまで待機する。復帰操作は、例えばリモコン５０ｂの試運転開始スイッチの操作である。作業者が、第２水抜き栓８２ｂを開き、第２水抜き栓８２ｂへの通水を確認した後、第２水抜き栓８２ｂを閉じて、リモコン５０ｂに復帰操作を入力すると、処理はステップＳ３２へ戻る。これによって、第１熱交換器４３の循環水流路４３ｂに通水がなされて、その後のヒートポンプ４０ｂでの加熱によって、第１熱交換器４３が解氷される。
【００７２】
なお、ステップＳ４８において、ヒートポンプ４０ｂの停止回数が所定回数以上の場合（ＹＥＳの場合）には、コントローラ４０ａは、第２水抜き栓８２ｂを開くことによる第１熱交換器４３への通水でも不具合が解消していないと判断して、処理はステップＳ５４へ進む。ステップＳ５４では、コントローラ４０ａは、リモコン５０ｂを介してエラー停止を報知し、図３の沸上げ試運転の処理は終了する。
【００７３】
（給湯試運転）
給湯試運転では、給湯システム１０は、通常運転における蓄熱給湯試運転と同様に、貯湯槽２１に貯えられた温水を混合器２４で給湯設定温度に調温して、給湯栓８０に給湯する。給湯試運転では、給湯システム１０は、混合器２４による温度調整が正常に行われるか否かを判断する。
【００７４】
（風呂試運転）
風呂試運転では、給湯システム１０は、通常運転における湯はり運転、及び追い焚き運転と同様の運転を行う。風呂試運転では、給湯システム１０は、浴槽７２への給湯設定温度での湯はりや、浴槽７２の浴槽水の追い焚きが、正常に行われるか否かを判断する。また、風呂試運転においては、湯はり量センサ７０ｂの検出流量を積算して得られる浴槽７２への供給水量と、水圧センサ７９の検出水圧から算出される浴槽７２の水位から、浴槽７２の大きさが把握される。
【００７５】
（変形例）
上記の実施例では、図２のヒートポンプユニット水はり運転において、第１水抜き栓８２ａの開閉および第１水抜き栓８２ａへの通水の確認を作業者が行う場合の構成について説明したが、例えば第１水抜き栓８２ａとして電磁弁と水流スイッチを備えるものを用いて、第１水抜き栓８２ａの開閉および第１水抜き栓８２ａへの通水の確認をコントローラ４０ａが行うように構成してもよい。この場合、図２のステップＳ２２、Ｓ２４の代わりに、コントローラ４０ａは、第１水抜き栓８２ａを開いて、第１水抜き栓８２ａへの通水の有無を監視し、第１水抜き栓８２ａへの通水が確認されると、第１水抜き栓８２ａを閉じて、ステップＳ２以降の処理を実行する。
【００７６】
上記の実施例では、図３の沸上げ試運転において、第２水抜き栓８２ｂの開閉および第２水抜き栓８２ｂへの通水の確認を作業者が行う場合の構成について説明したが、例えば第２水抜き栓８２ｂとして電磁弁と水流スイッチを備えるものを用いて、第２水抜き栓８２ｂの開閉および第２水抜き栓８２ｂへの通水の確認をコントローラ４０ａが行うように構成してもよい。この場合、図３のステップＳ４６、Ｓ４８の代わりに、コントローラ４０ａは、第２水抜き栓８２ｂを開いて、第２水抜き栓８２ｂへの通水の有無を監視し、第２水抜き栓８２ｂへの通水が確認されると、第２水抜き栓８２ｂを閉じて、ステップＳ３２以降の処理を実行する。
【００７７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００７８】
１０    ：給湯システム
２０    ：タンクユニット
２０ａ  ：コントローラ
２１    ：貯湯槽
２２    ：給水経路
２２ａ  ：水道水入口
２３    ：減圧弁
２４    ：混合器
２５    ：温水経路
２５ａ  ：温水制御弁
２５ｂ  ：温水流量センサ
２５ｃ  ：温水サーミスタ
２６    ：混合用給水経路
２６ａ  ：給水制御弁
２６ｂ  ：給水流量センサ
２６ｃ  ：給水サーミスタ
２７    ：第１混合経路
２７ａ  ：混合サーミスタ
２８    ：給湯バイパス経路
２８ａ  ：バイパス制御弁
２９    ：第１給湯経路
２９ａ  ：給湯サーミスタ
３１    ：排水経路
３２    ：排水弁
３３    ：循環往路
３４    ：循環復路
３４ａ  ：逆止弁
３６    ：往路サーミスタ
３７    ：空気抜き経路
３７ａ  ：空気抜き弁
３８    ：圧力開放経路
３８ａ  ：リリーフ弁
３９    ：上部サーミスタ
４０    ：ヒートポンプユニット
４０ａ  ：コントローラ
４０ｂ  ：ヒートポンプ
４１    ：圧縮機
４２    ：四方弁
４３    ：第１熱交換器
４３ａ  ：冷媒流路
４３ｂ  ：循環水流路
４３ｃ  ：凝縮温度センサ
４４    ：膨張弁
４５    ：第２熱交換器
４５ａ  ：ファン
４５ｂ  ：外気温度センサ
４６    ：冷媒配管
４７    ：除霜経路
４７ａ  ：除霜弁
４８    ：循環往路接続経路
４８ａ  ：入口側サーミスタ
４８ｂ  ：循環ポンプ
４９    ：循環復路接続経路
４９ａ  ：出口側サーミスタ
５０    ：ガス熱源ユニット
５０ａ  ：コントローラ
５０ｂ  ：リモコン
５１    ：給湯器
５２    ：第２混合経路
５２ａ  ：入水サーミスタ
５２ｂ  ：給湯水量センサ
５２ｃ  ：水量サーボ
５３    ：給湯用熱交換器
５４    ：給湯用バーナ
５５    ：第２給湯経路
５６    ：缶体サーミスタ
５７    ：出湯サーミスタ
５８    ：熱源機バイパス経路
５９    ：熱源機バイパス制御弁
７０    ：湯はり経路
７０ａ  ：湯はり弁
７０ｂ  ：湯はり量センサ
７０ｃ  ：逆止弁
７１    ：風呂循環経路
７２    ：浴槽
７３    ：風呂ポンプ
７４    ：水流スイッチ
７５    ：風呂往きサーミスタ
７６    ：追い焚き用熱交換器
７６ａ  ：第１流路
７６ｂ  ：第２流路
７７    ：風呂戻りサーミスタ
７８    ：追い焚き用バーナ
７９    ：水圧センサ
８０    ：給湯栓
８２ａ  ：第１水抜き栓
８２ｂ  ：第２水抜き栓
【図１】
0006393648.tif 000002
【図２】
0006393648.tif 000003
【図３】
0006393648.tif 000004